(57)【要約】【課題】腸蠕動音測定装置において、食事摂取が腸蠕動音の測定に及ぼす影響を判定することを可能にする。【解決手段】所定時間分の第１音成分の音量の積算値と第２音成分の音量の積算値との合計値のうち、第２音成分の音量の積算値が占める割合に基づいて、被験者の食事摂取の有無を判定するようにした（Ｓ８）。ここで、第２音成分には、食事による胃蠕動運動に起因する胃蠕動音の音成分が多く含まれている。従って、第２音成分の音量の積算値が占める割合が所定のレベル以上になると（Ｓ８でＹＥＳ）、被験者が食後の状態である（食事摂取が有り）と判定できる。そして、被験者が食後の状態である（食事摂取が有りのとき）ときには、食事摂取が腸蠕動音の測定に及ぼす影響が大きいと判定し（Ｓ９）、被験者が食後の状態ではない（食事摂取が無い）ときには（Ｓ８でＮＯ）、食事摂取が腸蠕動音の測定に及ぼす影響が無視できると判定できる。【選択図】図４
2019115375.tif 000002
【特許請求の範囲】
【請求項１】
被験者の腸蠕動音を測定する腸蠕動音測定装置において、
被験者の腹部で発生する腹部音を取得する腹部音取得部と、
前記腹部音取得部で取得した所定時間分の腹部音から、主に腸蠕動音に対応する周波数帯域である第１周波数帯域に含まれる第１音成分を抽出する第１帯域フィルタと、
前記腹部音取得部で取得した所定時間分の腹部音から、前記第１周波数帯域の最高周波数よりも最高周波数が高い、第２周波数帯域に含まれる第２音成分を抽出する第２帯域フィルタと、
前記第１帯域フィルタにより抽出された、所定時間分の第１音成分の音量の積算値と、前記第２帯域フィルタにより抽出された、所定時間分の第２音成分の音量の積算値との合計値のうち、前記第２音成分の音量の積算値が占める割合、又は前記第１音成分の音量の積算値と前記第２音成分の音量の積算値との比較結果に基づいて、前記被験者の食事摂取の有無を判定する食事摂取判定部とを備える腸蠕動音測定装置。
【請求項２】
前記腸蠕動音の測定への食事摂取が及ぼす影響度を判定する影響度判定部をさらに備え、
前記影響度判定部は、
前記第２音成分の音量の積算値が所定の閾値以上の場合には、前記第１音成分の音量の積算値が大きい程、前記腸蠕動音の測定への食事摂取が及ぼす影響度が大きいと判定すると共に、前記第２音成分の音量の積算値が大きい程、前記腸蠕動音の測定への食事摂取が及ぼす影響度を大きいと判定し、
前記第２音成分の音量の積算値が前記閾値未満の場合には、前記第２音成分の音量の積算値が前記閾値以上の場合と比較して、前記腸蠕動音の測定への食事摂取が及ぼす影響が小さいと判定することを特徴とする請求項１に記載の腸蠕動音測定装置。
【請求項３】
前記影響度判定部は、前記腸蠕動音の測定への食事摂取が及ぼす影響度の判定において、前記第２音成分の音量の積算値の大きさが前記影響度に及ぼす影響を、前記第１音成分の音量の積算値の大きさが前記影響度に及ぼす影響よりも大きくすることを特徴とする請求項２に記載の腸蠕動音測定装置。
【請求項４】
前記第１音成分の音量の積算値と前記影響度判定部により判定された前記影響度とに基づいて、前記影響度を考慮した前記被験者の腸蠕動能力を判定する腸蠕動能力判定部と、
前記腸蠕動能力判定部による判定結果に基づいて、前記被験者の腸蠕動能力に関する情報を表示部に表示するように制御する表示制御部とをさらに備えることを特徴とする請求項２又は３に記載の腸蠕動音測定装置。
【請求項５】
前記被験者の腸蠕動能力に関する情報を含む情報を表示する前記表示部をさらに備えることを特徴とする請求項４に記載の腸蠕動音測定装置。
【請求項６】
前記腸蠕動音測定装置に与えられる加速度を検出する加速度検出部と、
前記加速度検出部により検出された加速度の大きさが所定の閾値以上である場合に、前記第１周波数帯域と前記第２周波数帯域の少なくとも一方から、前記腸蠕動音測定装置と前記被験者の服とがこすれることに起因する雑音が発生し易い周波数帯域を除去して、前記第１周波数帯域と前記第２周波数帯域の少なくとも一方の帯域幅を狭くすると共に、前記第１周波数帯域と前記第２周波数帯域の少なくとも一方の帯域幅を狭くしたことが前記第１音成分と前記第２音成分の少なくとも一方の音量の積算値に与える影響を軽減するために、前記第１音成分と前記第２音成分の少なくとも一方の音量の積算値が大きくなるように補正する帯域調整部とをさらに備えることを特徴とする請求項１乃至請求項５のいずれか一項に記載の腸蠕動音測定装置。
【請求項７】
直近の食事の摂取時刻を取得する食事摂取時刻取得部と、
前記食事摂取時刻取得部により取得した直近の食事の摂取時刻と、前記第２音成分の音量の積算値とに基づいて、現時点から前記食事で摂取した食物の消化完了までの所要時間を推定する消化時間推定部とをさらに備えることを特徴とする請求項１乃至請求項６のいずれか一項に記載の腸蠕動音測定装置。
【請求項８】
現時点から直近の食事で摂取した食物の消化完了までの所要時間を推定する消化時間推定部をさらに備え、
前記腸蠕動音測定装置による前記被験者の腸蠕動音の測定が、所定の時間間隔を超えない２つの時点で行われたときは、前記消化時間推定部は、１回目の測定における前記第２音成分の音量の積算値と２回目の測定における前記第２音成分の音量の積算値との差分と、前記１回目の測定と前記２回目の測定の時間差とに基づいて、現時点から前記食事で摂取した食物の消化完了までの所要時間を推定することを特徴とする請求項１乃至請求項６のいずれか一項に記載の腸蠕動音測定装置。
【請求項９】
被験者の腹部で発生する腹部音を取得する工程と、
前記腹部音を取得する工程で取得した所定時間分の腹部音から、主に腸蠕動音に対応する周波数帯域である第１周波数帯域に含まれる第１音成分を抽出する工程と、
前記腹部音を取得する工程で取得した所定時間分の腹部音から、前記第１周波数帯域の最高周波数よりも最高周波数が高い、第２周波数帯域に含まれる第２音成分を抽出する工程と、
前記第１音成分を抽出する工程で抽出された、所定時間分の第１音成分の音量の積算値と、前記第２音成分を抽出する工程で抽出された、所定時間分の第２音成分の音量の積算値との合計値のうち、前記第２音成分の音量の積算値が占める割合、又は前記第１音成分の音量の積算値と前記第２音成分の音量の積算値との比較結果に基づいて、前記被験者の食事摂取の有無を判定する工程と、をコンピュータに実行させるための腸蠕動音測定プログラム。
【発明の詳細な説明】
【技術分野】
【０００１】
本発明は、被験者の腸蠕動音を測定する腸蠕動音測定装置及び腸蠕動音測定プログラムに関する。
【背景技術】
【０００２】
腸は食物の消化の際に腸蠕動運動を行い、それに伴い腸蠕動音と呼ばれる音を発生させる。腸蠕動音は主に医療現場で腸閉塞等の病気の診断や、寝たきりの患者の体調管理に利用されている。しかしながら、被験者の腸蠕動音を聴取して健康状態を判断するには、経験やトレーニングが必要であり、腸蠕動音を聴取して健康状態の客観的な評価を行うことは難しい。被験者の腸の消化活動の変化を定量的に評価する方法が確立できれば、被験者が摂取した食品の消化の良し悪しや、被験者の体調等を客観的に評価することが可能になる。
【０００３】
そこで、被験者の腸音を自動的に記録して、コンピュータにより分析する装置が知られている（非特許文献１参照）。この非特許文献１には、食前と食後とで、腸音の周波数特性に特徴がある（差異がある）ことが記載されている。また、腸音を周波数解析することにより、腸蠕動音を検出するようにした装置も知られている（特許文献１参照）。
【先行技術文献】
【特許文献】
【０００４】
【特許文献１】特開２０１３−１５０７２３号公報
【非特許文献】
【０００５】
【非特許文献１】「コンピュータズ・イン・バイオロジー・アンド・メディスン（Computers in Biology and Medicine）」、（英国）、ペルガモン・プレス（Pergamon Press）、１９７５年、第４巻、P. 247-256
【発明の概要】
【発明が解決しようとする課題】
【０００６】
しかしながら、上記非特許文献１及び上記特許文献１に開示された技術を用いて、腸音を周波数解析するだけでは、精度よく、腸蠕動音を測定することが難しい。その理由は、以下の通りである。すなわち、被験者の腹部で発生する腹部音（腸音）には、腸蠕動音だけではなく、胃蠕動音及び飢餓収縮音が混じっているが、胃蠕動音及び飢餓収縮音は、複数の周波数に音圧のピークを有しており、腸蠕動音の周波数帯に含まれるピークも有している。このため、周波数解析で腸蠕動音が含まれる周波数帯の音を取り出したとしても、その音には、胃蠕動音、飢餓収縮音の成分が含まれることとなるためである。食後には、胃蠕動運動が活発になるため、胃蠕動音が腸蠕動音の測定に及ぼす影響が大きくなる。
【０００７】
本発明は、上記課題を解決するものであり、食事摂取が腸蠕動音の測定に及ぼす影響を判定することが可能な腸蠕動音測定装置及び腸蠕動音測定プログラムを提供することを目的とする。
【課題を解決するための手段】
【０００８】
上記課題を解決するために、本発明の第1の態様による腸蠕動音測定装置は、被験者の腸蠕動音を測定する腸蠕動音測定装置において、被験者の腹部で発生する腹部音を取得する腹部音取得部と、前記腹部音取得部で取得した所定時間分の腹部音から、主に腸蠕動音に対応する周波数帯域である第１周波数帯域に含まれる第１音成分を抽出する第１帯域フィルタと、前記腹部音取得部で取得した所定時間分の腹部音から、前記第１周波数帯域の最高周波数よりも最高周波数が高い、第２周波数帯域に含まれる第２音成分を抽出する第２帯域フィルタと、前記第１帯域フィルタにより抽出された、所定時間分の第１音成分の音量の積算値と、前記第２帯域フィルタにより抽出された、所定時間分の第２音成分の音量の積算値との合計値のうち、前記第２音成分の音量の積算値が占める割合、又は前記第１音成分の音量の積算値と前記第２音成分の音量の積算値との比較結果に基づいて、前記被験者の食事摂取の有無を判定する食事摂取判定部とを備える。ここで、上記の「主に腸蠕動音に対応する周波数帯域」とは、腸蠕動音が存在する主な周波数帯域であり、空腹時の飢餓収縮音、及び食事による胃蠕動音よりも、腸蠕動音の比率が高い周波数帯域を意味する。
【０００９】
この腸蠕動音測定装置において、前記腸蠕動音の測定への食事摂取が及ぼす影響度を判定する影響度判定部をさらに備え、前記影響度判定部は、前記第２音成分の音量の積算値が所定の閾値以上の場合には、前記第１音成分の音量の積算値が大きい程、前記腸蠕動音の測定への食事摂取が及ぼす影響度が大きいと判定すると共に、前記第２音成分の音量の積算値が大きい程、前記腸蠕動音の測定への食事摂取が及ぼす影響度を大きいと判定し、前記第２音成分の音量の積算値が前記閾値未満の場合には、前記第２音成分の音量の積算値が前記閾値以上の場合と比較して、前記腸蠕動音の測定への食事摂取が及ぼす影響が小さいと判定してもよい。
【００１０】
この腸蠕動音測定装置において、前記影響度判定部は、前記腸蠕動音の測定への食事摂取が及ぼす影響度の判定において、前記第２音成分の音量の積算値の大きさが前記影響度に及ぼす影響を、前記第１音成分の音量の積算値の大きさが前記影響度に及ぼす影響よりも大きくしてもよい。
【００１１】
この腸蠕動音測定装置において、前記第１音成分の音量の積算値と前記影響度判定部により判定された前記影響度とに基づいて、前記影響度を考慮した前記被験者の腸蠕動能力を判定する腸蠕動能力判定部と、前記腸蠕動能力判定部による判定結果に基づいて、前記被験者の腸蠕動能力に関する情報を表示部に表示するように制御する表示制御部とをさらに備えてもよい。
【００１２】
この腸蠕動音測定装置において、前記被験者の腸蠕動能力に関する情報を含む情報を表示する前記表示部をさらに備えてもよい。
【００１３】
この腸蠕動音測定装置において、前記腸蠕動音測定装置に与えられる加速度を検出する加速度検出部と、前記加速度検出部により検出された加速度の大きさが所定の閾値以上である場合に、前記第１周波数帯域と前記第２周波数帯域の少なくとも一方から、前記腸蠕動音測定装置と前記被験者の服とがこすれることに起因する雑音が発生し易い周波数帯域を除去して、前記第１周波数帯域と前記第２周波数帯域の少なくとも一方の帯域幅を狭くすると共に、前記第１周波数帯域と前記第２周波数帯域の少なくとも一方の帯域幅を狭くしたことが前記第１音成分と前記第２音成分の少なくとも一方の音量の積算値に与える影響を軽減するために、前記第１音成分と前記第２音成分の少なくとも一方の音量の積算値が大きくなるように補正する帯域調整部とをさらに備えてもよい。
【００１４】
この腸蠕動音測定装置において、直近の食事の摂取時刻を取得する食事摂取時刻取得部と、前記食事摂取時刻取得部により取得した直近の食事の摂取時刻と、前記第２音成分の音量の積算値とに基づいて、現時点から前記食事で摂取した食物の消化完了までの所要時間を推定する消化時間推定部とをさらに備えてもよい。
【００１５】
この腸蠕動音測定装置において、現時点から直近の食事で摂取した食物の消化完了までの所要時間を推定する消化時間推定部をさらに備え、前記腸蠕動音測定装置による前記被験者の腸蠕動音の測定が、所定の時間間隔を超えない２つの時点で行われたときは、前記消化時間推定部は、１回目の測定における前記第２音成分の音量の積算値と２回目の測定における前記第２音成分の音量の積算値との差分と、前記１回目の測定と前記２回目の測定の時間差とに基づいて、現時点から前記食事で摂取した食物の消化完了までの所要時間を推定してもよい。
【００１６】
本発明の第２の態様による腸蠕動音測定プログラムは、被験者の腹部で発生する腹部音を取得する工程と、前記腹部音を取得する工程で取得した所定時間分の腹部音から、主に腸蠕動音に対応する周波数帯域である第１周波数帯域に含まれる第１音成分を抽出する工程と、前記腹部音を取得する工程で取得した所定時間分の腹部音から、前記第１周波数帯域の最高周波数よりも最高周波数が高い、第２周波数帯域に含まれる第２音成分を抽出する工程と、前記第１音成分を抽出する工程で抽出された、所定時間分の第１音成分の音量の積算値と、前記第２音成分を抽出する工程で抽出された、所定時間分の第２音成分の音量の積算値との合計値のうち、前記第２音成分の音量の積算値が占める割合、又は前記第１音成分の音量の積算値と前記第２音成分の音量の積算値との比較結果に基づいて、前記被験者の食事摂取の有無を判定する工程と、をコンピュータに実行させる。
【発明の効果】
【００１７】
本発明によれば、所定時間分の第１音成分の音量の積算値と第２音成分の音量の積算値との合計値のうち、第２音成分の音量の積算値が占める割合、又は第１音成分の音量の積算値と第２音成分の音量の積算値との比較結果に基づいて、被験者の食事摂取の有無を判定するようにした。ここで、被験者の腹部で発生する腹部音のうち、主に腸蠕動音に対応する第１周波数帯域よりも最高周波数が高い第２周波数帯域に含まれる第２音成分には、食事による胃蠕動運動に起因する胃蠕動音の音成分が多く含まれている。従って、上記の所定時間分の第１音成分の音量の積算値と第２音成分の音量の積算値との合計値のうち、第２音成分の音量の積算値が占める割合が所定のレベル以上になると、被験者が食後の状態であり（被験者の食事摂取が有りで）、第２音成分の音量の積算値が占める割合が所定のレベル未満になると、被験者が食後の状態でない（被験者の食事摂取が無い）と判定することができる。また、第１音成分の音量の積算値と第２音成分の音量の積算値との比較結果を用いても、上記と同様に、被験者が食後の状態である（被験者の食事摂取が有る）か、被験者が食後の状態でない（被験者の食事摂取が無い）かを判定することができる。そして、被験者が食後の状態であるとき（被験者の食事摂取が有りのとき）には、食事摂取が腸蠕動音の測定に及ぼす影響が大きい状態であると判定し、被験者が食後の状態ではない（被験者の食事摂取が無い）ときには、被験者が食後の状態であるときと比較して、食事摂取が腸蠕動音の測定に及ぼす影響が少ない（無視できる）状態であると判定することができる。
【図面の簡単な説明】
【００１８】
【図１】（ａ）（ｂ）は、それぞれ、本発明の一実施形態の腸蠕動音測定装置の正面図と背面図。
【図２】同腸蠕動音測定装置の電気的ブロック構成図。
【図３】同腸蠕動音測定装置のＣＰＵにより実現される機能ブロック構成図。
【図４】同腸蠕動音測定装置における腸蠕動音測定処理のフローチャート。
【図５】同腸蠕動音測定装置における腸蠕動音測定処理のフローチャート。
【図６】同腸蠕動音測定装置において、第１音成分と第２音成分の音量の積算値の合計値のうち、第２音成分の音量の積算値が占める割合の食事前後における変化を示すグラフ。
【図７】同腸蠕動音測定装置における、食事による胃蠕動が活発であるか否かの判定方法を示す図。
【図８】同腸蠕動音測定装置における、腸蠕動（運動）の活性度合の判定方法を示す図。
【図９】同腸蠕動音測定装置における、胃蠕動（運動）の状態（活性度合）の判定方法を示す図。
【図１０】食後における上記第２音成分の音量の積算値の変化を示すグラフ。
【図１１】同腸蠕動音測定装置における、消化完了までに要する時間の推定方法を説明するためのグラフ。
【図１２】同腸蠕動音測定装置における、摂取した食品の消化の良し悪し、腹持ち、及び食事量の判定方法を示す図。
【図１３】同腸蠕動音測定装置における、食事摂取の有無の判定方法を示す図。
【図１４】同腸蠕動音測定装置における、腸蠕動音の測定への食事摂取が及ぼす影響度の判定表を示す図。
【図１５】同腸蠕動音測定装置において、食後の第２音成分の音量の積算値が閾値以上になる場合における、食事摂取前後の第１音成分と第２音成分の音量の積算値の変化を示すグラフ。
【図１６】同腸蠕動音測定装置において、食後の第２音成分の音量の積算値が閾値未満である場合における、食事摂取前後の第１音成分と第２音成分の音量の積算値の変化を示すグラフ。
【発明を実施するための形態】
【００１９】
以下、本発明を具体化した実施形態による腸蠕動音測定装置について、図面を参照して説明する。
＜１．腸蠕動音測定装置の構成＞
図１（ａ）は、本実施形態による腸蠕動音測定装置１の表面（正面）２を示し、図１（ｂ）は、上記腸蠕動音測定装置１の裏面（背面）３を示す。図１（ａ）に示されるように、腸蠕動音測定装置１は、その表面２に、表示部４と、操作部５と、電池蓋６とを備えている。表示部４は、被験者（ユーザ）への操作の案内や、測定結果を表示するための表示装置であり、ＬＣＤ（Ｌｉｑｕｉｄ  Ｃｒｙｓｔａｌ  Ｄｉｓｐｌａｙ）により構成されている。表示部４により表示される情報には、被験者の腸蠕動能力に関する情報が含まれている。操作部５は、被験者が各種の指示や情報を入力するための各種のキーを有している。操作部５により入力される情報には、被験者の直近の食事の摂取時刻が含まれる。操作部５は、請求項における食事摂取時刻取得部に相当する。電池蓋６は、腸蠕動音測定装置１の表面２に設けられた電池着脱用の口（電池取り出し口）から、電池１５（図２参照）が脱落するのを防ぐための蓋である。また、図１（ｂ）に示されるように、腸蠕動音測定装置１は、その裏面３に、被験者の腹部で発生する腹部音を取得するためのマイクロフォン７（請求項における「腹部音取得部」）を備えている。
【００２０】
図２は、上記の腸蠕動音測定装置１の電気的ブロック構成を示す。図に示されるように、腸蠕動音測定装置１は、上記の表示部４、操作部５、及びマイクロフォン７に加えて、ＣＰＵ１０と、メモリ１１と、ＮＦＣアンテナ１２と、ＩＣタグの機能を有するＮＦＣ通信制御ＩＣ１３と、加速度センサ１４と、電池１５とを備えている。ＣＰＵ１０は、メモリ１１に格納されたプログラムに基づいて、後述する被験者の腸蠕動音の測定処理等の各種の演算処理や、腸蠕動音測定装置１内の各種回路の制御処理を行う。メモリ１１は、腸蠕動音測定プログラム１６を含む各種のプログラムと各種のデータを記憶する。ＮＦＣアンテナ１２は、ＮＦＣ通信用のアンテナである。ＮＦＣ通信制御ＩＣ１３は、ＮＦＣアンテナ１２を介して、ＮＦＣ通信のリーダライタ側の情報通信装置との間で、ＮＦＣ通信を行うための通信制御用のＩＣである。加速度センサ１４は、腸蠕動音測定装置１に与えられる加速度を検出して、ＣＰＵ１０に出力する。電池１５は、腸蠕動音測定装置１内の各回路に電源を供給する。上記の加速度センサ１４は、請求項における加速度検出部に相当する。加速度センサ１４からの出力値は、後述する「服すれ」が発生し易い状況であるか否かの検出に用いられるが、加速度センサ１４は、この「服すれ」が発生し易い状況であるか否かの検出にのみ用いられる、専用の加速度センサであってもよく、上記の検出以外の用途と共用される、共用の加速度センサであってもよい。
【００２１】
図３に示されるように、ＣＰＵ１０は、第１帯域フィルタ２１と、第２帯域フィルタ２２と、帯域調整部２３と、食事摂取判定部２４と、影響度判定部２５と、腸蠕動能力判定部２６と、表示制御部２７と、消化時間推定部２８と、消化良否食事量推定部２９とを備えている。なお、これらの各機能ブロックは、マイコンが有する基本的な機能ブロックを用いて作成した回路である。
【００２２】
上記の第１帯域フィルタ２１は、マイクロフォン７で取得した所定時間分の腹部音から、主に腸蠕動音に対応する周波数帯域（腸蠕動音が存在する主な周波数帯域であり、空腹時の飢餓収縮音、及び食事による胃蠕動音よりも、腸蠕動音の比率が高い周波数帯域）である第１周波数帯域に含まれる第１音成分を抽出する。第２帯域フィルタ２２は、マイクロフォン７で取得した所定時間分の腹部音から、上記の第１周波数帯域の最高周波数よりも最高周波数が高い、第２周波数帯域に含まれる第２音成分を抽出する。
【００２３】
帯域調整部２３は、加速度センサ１４により検出された加速度の大きさが所定の閾値以上である場合に、上記の第１周波数帯域から、腸蠕動音測定装置１と被験者の服とがこすれること（以下、「服すれ」という）に起因する雑音が発生し易い周波数帯域を除去して、第１周波数帯域の帯域幅を狭くすると共に、第１周波数帯域の帯域幅を狭くしたことが第１音成分の音量の積算値に与える影響を軽減するために、第１音成分の音量の積算値が大きくなるように補正する。なお、上記の服すれに起因する雑音は、複数の周波数帯域（例えば、上記の第１周波数帯域と第２周波数帯域）に含まれる場合もある。
【００２４】
食事摂取判定部２４は、第１帯域フィルタ２１により抽出された、所定時間分の第１音成分の音量の積算値（総和）と、第２帯域フィルタ２２により抽出された、所定時間分の第２音成分の音量の積算値（総和）との合計値のうち、第２音成分の音量の積算値が占める割合に基づいて、被験者の食事摂取の有無を判定する。
【００２５】
上記の「第１音成分の音量」とは、具体的には、マイクロフォン７からの出力値（腹部音）を第１帯域フィルタ２１で処理した後のサンプリングデータ（第１帯域フィルタ２１からの出力値のサンプリングデータ）の出力レベルを意味し、「所定時間分の第１音成分の音量の積算値」とは、第１帯域フィルタ２１による抽出処理後における所定時間分のサンプリングデータの出力レベルの積算値を意味する。また、上記の「第２音成分の音量」とは、マイクロフォン７からの出力値を第２帯域フィルタ２２で処理した後のサンプリングデータ（第２帯域フィルタ２２からの出力値のサンプリングデータ）の出力レベルを意味し、「所定時間分の第２音成分の音量の積算値」とは、第２帯域フィルタ２２による抽出処理後における所定時間分のサンプリングデータの出力レベルの積算値を意味する。なお、本実施形態では、上記の「第１音成分の音量」及び「第２音成分の音量」として、音量をｄＢで表したものを用いている。
【００２６】
上記の第１音成分の音量の積算値が算出される「所定時間」と、第２音成分の音量の積算値が算出される「所定時間」とは、同じ時間であることが好ましい。第１音成分の音量の積算値と第２音成分の音量の積算値とは、いずれも、マイクロフォン７で取得した所定時間分の腹部音から算出されるからである。ただし、第１音成分の音量の積算値が算出される所定時間と第２音成分の音量の積算値が算出される所定時間とを異なる時間に設定した場合にも、後述する閾値（図４のＳ８の判定で用いる閾値（図７における閾値）、及び図５のＳ１９の判定で用いる閾値（図１３における閾値））と、図１４の判定表における各値を調整すれば、対応可能である（正確な判定を行うことができる）。
【００２７】
影響度判定部２５は、腸蠕動音の測定への食事摂取が及ぼす影響度を判定する。腸蠕動能力判定部２６は、第１帯域フィルタ２１により抽出された、所定時間分の第１音成分の音量の積算値と、影響度判定部２５により判定された影響度とに基づいて、この影響度を考慮した被験者の腸蠕動能力を判定する。表示制御部２７は、腸蠕動能力判定部２６による判定結果に基づいて、被験者の腸蠕動能力に関する情報を表示部４に表示するように制御する。
【００２８】
消化時間推定部２８は、操作部５により入力された（取得した）直近の食事の摂取時刻と、第２帯域フィルタ２２により抽出された、所定時間分の第２音成分の音量の積算値とに基づいて、現時点から直近の食事で摂取した食物の消化完了までの所要時間を推定する。ただし、同じ被験者に対して、腸蠕動音測定装置１による腸蠕動音の測定が、所定の時間間隔を超えない２つの時点で行われたときは、消化時間推定部２８は、１回目の測定における第２音成分の音量の積算値と２回目の測定における第２音成分の音量の積算値との差分と、１回目の測定と２回目の測定の時間差とに基づいて、現時点から直近の食事で摂取した食物の消化完了までの所要時間を推定する。
【００２９】
消化良否食事量推定部２９は、消化時間推定部２８による推定結果（現時点から直近の食事で摂取した食物の消化完了までの所要時間の推定値）と、操作部５により入力された直近の食事の摂取時刻とに基づいて、摂取した食品の消化の良し悪し（腹持ち）、又は食事量を判定する。
【００３０】
＜２．腸蠕動音測定装置の動作（腸蠕動音測定プログラムによる処理）＞
図４及び図５は、腸蠕動音測定装置１において、腸蠕動音測定プログラム１６に基づき、ＣＰＵ１０が行う腸蠕動音測定処理のフローチャートである。ＣＰＵ１０がメモリ１１に記憶された腸蠕動音測定プログラム１６を読み込んで処理することにより、コンピュータである腸蠕動音測定装置１は、以下に説明する腸蠕動音測定処理の各工程を実行する。被験者（ユーザ）が、操作部５を用いて、腸蠕動音測定処理の開始を指示すると、ＣＰＵ１０は、直近の食事摂取時刻を入力するか、入力しないかの選択を被験者に促すための表示を、表示部４に出力する。この表示に応じて、被験者は、操作部５により、直近の食事摂取時刻を入力するか、又は直近の食事摂取時刻の入力を行わない旨の選択入力を行う（Ｓ１）。
【００３１】
上記Ｓ１の処理が終了すると、ＣＰＵ１０は、腸蠕動音を拾い易い（採取し易い）場所である下行結腸周辺の腹部音を、マイクロフォン７により一定時間検出（取得）する処理を開始する（Ｓ２）。ＣＰＵ１０は、マイクロフォン７により取得した一定時間分の腹部音に対して、第１帯域フィルタ２１及び第２帯域フィルタ２２の２種類の帯域フィルタをかけて、第１音成分及び第２音成分の音量の積算値を算出する（Ｓ３乃至Ｓ７）。第１帯域フィルタ２１の通過帯域（第１周波数帯域）は、主に腸蠕動音に対応する周波数帯域である。また、第２帯域フィルタ２２の通過帯域（第２周波数帯域）は、第１周波数帯域の最高周波数よりも最高周波数が高く、腹部音のうち、主に、飢餓収縮音、又は食事による胃蠕動音（胃蠕動（運動）に起因する音）に対応する周波数帯域である。
【００３２】
本実施形態では、加速度センサ１４の出力値（加速度センサ１４により検出された加速度の大きさ）が所定の閾値未満であるか否かに応じて、ＣＰＵ１０の帯域調整部２３が、上記の第１帯域フィルタ２１及び第２帯域フィルタ２２の通過帯域を調整する。すなわち、加速度センサ１４の出力値が所定の閾値未満である場合には（加速度センサ１４を所持した被験者の体動が、所定のレベル未満であるときには）（Ｓ３でＹＥＳ）、上記の服すれに起因する雑音の影響は少ないと考えられるので、帯域調整部２３は、後述する通過帯域の調整処理を行わず、第１帯域フィルタ２１の通過帯域（第１周波数帯域）、及び第２帯域フィルタ２２の通過帯域（第２周波数帯域）を、初期設定の範囲のままにする。初期設定では、第１周波数帯域は、２００Ｈｚ〜５００Ｈｚであり、第２周波数帯域は、５００Ｈｚ〜２０００Ｈｚである。
【００３３】
上記の加速度センサ１４の出力値が所定の閾値未満である場合には（Ｓ３でＹＥＳ）、ＣＰＵ１０は、マイクロフォン７により取得した一定時間分の腹部音に対して、第１帯域フィルタ２１及び第２帯域フィルタ２２の２種類の帯域フィルタをかけた後（Ｓ４）、第１帯域フィルタ２１により抽出された、所定時間分の第１音成分の音量の積算値と、第２帯域フィルタ２２により抽出された、所定時間分の第２音成分の音量の積算値とを算出する（Ｓ５）。
【００３４】
これに対して、上記の加速度センサ１４の出力値が所定の閾値以上である場合には（加速度センサ１４を所持した被験者の体動が、所定のレベル以上のときには）（Ｓ３でＮＯ）、上記の服すれに起因する雑音の影響が大きくなるので、ＣＰＵ１０の帯域調整部２３は、第１帯域フィルタ２１の通過帯域（第１周波数帯域）、及び第２帯域フィルタ２２の通過帯域（第２周波数帯域）を、調整する（初期設定から変更する）。具体的には、帯域調整部２３は、上記の第１帯域フィルタ２１の通過帯域（第１周波数帯域）、及び第２帯域フィルタ２２の通過帯域（第２周波数帯域）から、上記の服すれに起因する雑音が発生し易い周波数帯域を除去して、第１周波数帯域及び第２周波数帯域の帯域幅を狭くする。例えば、帯域調整部２３は、第１帯域フィルタ２１の通過帯域（第１周波数帯域）を、４００Ｈｚ〜５００Ｈｚに調整し（狭め）、第２帯域フィルタ２２の通過帯域（第２周波数帯域）を、５００Ｈｚ〜１０００Ｈｚに調整する（狭める）。
【００３５】
そして、ＣＰＵ１０の帯域調整部２３は、マイクロフォン７により取得した一定時間分の腹部音に対して、上記の帯域調整後の（服すれによる雑音の発生し易い周波数帯域を避けた）第１帯域フィルタ２１及び第２帯域フィルタ２２をかけた後（Ｓ６）、帯域調整後の第１帯域フィルタ２１と第２帯域フィルタ２２とにより抽出された、所定時間分の第１音成分の音量の積算値と第２音成分の音量の積算値とを、元の（初期設定の通過帯域の）第１帯域フィルタ２１と第２帯域フィルタ２２とにより抽出された、所定時間分の第１音成分の音量の積算値と第２音成分の音量の積算値とに相当する数値に補正（変換）する（Ｓ７）。すなわち、帯域調整部２３は、上記の第１周波数帯域と第２周波数帯域の帯域幅を狭くしたことが第１音成分の音量の積算値と第２音成分の音量の積算値とに与える影響を軽減するために、第１音成分の音量の積算値と第２音成分の音量の積算値とが大きくなるように補正する。
【００３６】
具体的には、例えば、帯域調整部２３は、上記のように、第１帯域フィルタ２１の通過帯域（第１周波数帯域）を、初期設定の２００Ｈｚ〜５００Ｈｚから、４００Ｈｚ〜５００Ｈｚに調整した（狭めた）場合には、下記の式（１）を用いて、第１音成分の音量の積算値を、元の（初期設定の通過帯域の）第１帯域フィルタ２１により抽出された、第１音成分の音量の積算値に相当する数値に補正（変換）する。なお、下記の式（１）において、「調整後の第１音成分の音量の積算値」とは、上記の帯域調整部２３により通過帯域を狭められた第１帯域フィルタ２１により抽出された、第１音成分の音量の積算値を意味し、「元の第１音成分の音量の積算値への変換値」とは、上記の「調整後の第１音成分の音量の積算値」を、元の（初期設定の通過帯域の）第１帯域フィルタ２１により抽出された、第１音成分の音量の積算値に相当する数値に変換した値を示す。
（元の第１音成分の音量の積算値への変換値）＝（調整後の第１音成分の音量の積算値）＊（（５００−２００）／（５００−４００））・・・（１）
【００３７】
また、帯域調整部２３は、上記のように、第２帯域フィルタ２２の通過帯域（第２周波数帯域）を、初期設定の５００Ｈｚ〜２０００Ｈｚから、５００Ｈｚ〜１０００Ｈｚに調整した（狭めた）場合には、下記の式（２）を用いて、第２音成分の音量の積算値を、元の（初期設定の通過帯域の）第２帯域フィルタ２２により抽出された、第２音成分の音量の積算値に相当する数値に補正（変換）する。なお、下記の式（２）において、「調整後の第２音成分の音量の積算値」とは、上記の帯域調整部２３により通過帯域を狭められた第２帯域フィルタ２２により抽出された、第２音成分の音量の積算値を意味し、「元の第２音成分の音量の積算値への変換値」とは、上記の「調整後の第２音成分の音量の積算値」を、元の（初期設定の通過帯域の）第２帯域フィルタ２２により抽出された、第２音成分の音量の積算値に相当する数値に変換した値を示す。
（元の第２音成分の音量の積算値への変換値）＝（調整後の第２音成分の音量の積算値）＊（（２０００−５００）／（１０００−５００））・・・（２）
【００３８】
ＣＰＵ１０は、上記Ｓ５の処理で算出された所定時間分の第１音成分の音量の積算値と第２音成分の音量の積算値、又は上記Ｓ７の変換処理後の、所定時間分の第１音成分の音量の積算値と第２音成分の音量の積算値とに相当する数値（変換値）に基づいて、下記のＳ８以降の処理を行う。以下の説明において、「第１音成分の音量の積算値」には、上記Ｓ５の処理で算出した（第１帯域フィルタ２１による抽出後の）所定時間分の第１音成分の音量の積算値と、上記Ｓ７の変換処理で求めた、所定時間分の第１音成分の音量の積算値に相当する数値（変換値）との両方が含まれる。また、「第２音成分の音量の積算値」には、上記Ｓ５の処理で算出した（第２帯域フィルタ２２による抽出後の）所定時間分の第２音成分の音量の積算値と、上記Ｓ７の変換処理で求めた、所定時間分の第２音成分の音量の積算値に相当する数値（変換値）との両方が含まれる。
【００３９】
ＣＰＵ１０（の主に、食事摂取判定部２４）は、Ｓ８の判定処理において、上記の第１音成分の音量の積算値と第２音成分の音量の積算値との合計値のうち、第２音成分の音量の積算値が占める割合が所定の閾値以上であるか否かを判定する。この判定は、食事による胃蠕動（運動）が活発であるか否かを判別するために行われる。具体的には、ＣＰＵ１０は、下記の式（３）を用いて、第１音成分の音量の積算値と第２音成分の音量の積算値との合計値のうち、第２音成分の音量の積算値が占める割合ａ（％）を求める。
ａ＝（（第２音成分の音量の積算値）／（第１音成分の音量の積算値＋第２音成分の音量の積算値））＊１００・・・（３）
【００４０】
図６のグラフの縦軸は、第１音成分の音量の積算値と第２音成分の音量の積算値との合計値のうち、第２音成分の音量の積算値が占める割合ａに対応している。図６に示すように、第２音成分の音量の積算値が占める割合ａは、一般に、食事の直後には、上記の閾値以上の値になる。従って、図７に示すように、上記の割合ａが、閾値以上の場合には、食後の状態であり、食事による胃蠕動が活発であると判定することができ、割合ａが、閾値未満の場合には、食後の状態ではなく、空腹時の飢餓収縮が活発であるか、又は胃蠕動も、飢餓収縮も、活発でないと判定することができる。
【００４１】
従って、ＣＰＵ１０は、Ｓ８の判定処理において、上記の第２音成分の音量の積算値が占める割合ａが所定の閾値以上であるときには（Ｓ８でＹＥＳ）、「食事による胃蠕動が活発」であり、（胃蠕動音が）腸蠕動音測定に及ぼす影響が大きいと判定して、その旨を、表示部４に表示する（Ｓ９）。
【００４２】
上記Ｓ８の判定処理において、第１音成分の音量の積算値と第２音成分の音量の積算値との合計値のうち、第２音成分の音量の積算値が占める割合ａではなく、第１音成分の音量の積算値と第２音成分の音量の積算値との比ａ´を所定の閾値と比較することにより、「食事による胃蠕動が活発」であるか否かを判定してもよい。この比ａ´は、例えば、下記の式（４）を用いて求める。請求項における「前記第１音成分の音量の積算値と前記第２音成分の音量の積算値との比較結果」には、この第１音成分の音量の積算値と第２音成分の音量の積算値との比ａ´が、含まれる。
ａ´＝（（第２音成分の音量の積算値）／（第１音成分の音量の積算値））＊１００・・・（４）
【００４３】
上記Ｓ８の判定処理において、上記の第２音成分の音量の積算値が占める割合ａ（又は第１音成分の音量の積算値と第２音成分の音量の積算値との比ａ´）が所定の閾値未満であるときには（Ｓ８でＮＯ）、ＣＰＵ１０は、第２音成分の音量の積算値が所定の閾値以上であるか否かを判定する（Ｓ１０）。この判定の結果、第２音成分の音量の積算値が所定の閾値以上の場合には（Ｓ１０でＹＥＳ）、ＣＰＵ１０は、「空腹時の飢餓収縮が活発」であり、（飢餓収縮音が）腸蠕動音測定に及ぼす影響が大きいと判定して、その旨を、表示部４に表示する（Ｓ１１）。
【００４４】
これに対して、上記の第２音成分の音量の積算値が占める割合ａ（又は上記の比ａ´）が所定の閾値未満であり（Ｓ８でＮＯ）、かつ、第２音成分の音量の積算値が所定の閾値未満の場合には（Ｓ１０でＮＯ）、食事による胃蠕動音も、空腹時の飢餓収縮音も、腸蠕動音測定に及ぼす影響が小さいので、ＣＰＵ１０は、Ｓ９及びＳ１１におけるようなワーニング（警告）表示を行わず、図５におけるＳ１２の処理に進む。
【００４５】
図５中のＳ１２の処理では、ＣＰＵ１０は、第１音成分の音量の積算値から、腸蠕動（運動）の活性度合を判定して、その判定結果を表示部４に表示する（Ｓ１２）。具体的には、ｂ＝（第１音成分の音量の積算値）とすると、ＣＰＵ１０は、図８に示すように、ｂが上限の閾値より大きいときは、腸蠕動（運動）が活発であると判定して、表示部４に、「腸蠕動が活発です」と表示する。また、ＣＰＵ１０は、ｂが、下限の閾値以上で、上限の閾値以下のときは、腸蠕動（運動）が通常の状態であると判定して、表示部４に、「腸蠕動が通常です」と表示する。また、ＣＰＵ１０は、ｂが、下限の閾値未満のときは、腸蠕動（運動）が脆弱であると判定して、表示部４に、「腸蠕動が脆弱です」と表示する。上記図８において、上限の閾値と下限の閾値とは、腸蠕動（運動）が通常の状態である場合における、第１音成分の音量の積算値の上限値と下限値とを示す。
【００４６】
次に、ＣＰＵ１０は、第２音成分の音量の積算値から、胃蠕動（運動）の状態（活性度合）を判定して、その判定結果を表示部４に表示する（Ｓ１３）。具体的には、ｃ＝（第２音成分の音量の積算値）とすると、ＣＰＵ１０は、図９に示すように、ｃが上限の閾値より大きいときは、胃蠕動（運動）が活発であると判定して、表示部４に、「胃蠕動が活発です」と表示する。また、ＣＰＵ１０は、ｃが、下限の閾値以上で、上限の閾値以下のときは、胃蠕動（運動）が通常の状態であると判定して、表示部４に、「胃蠕動が通常です」と表示する。また、ＣＰＵ１０は、ｃが、下限の閾値未満のときは、胃蠕動（運動）が脆弱であると判定して、表示部４に、「胃蠕動が脆弱です」と表示する。上記図９において、上限の閾値と下限の閾値とは、胃蠕動（運動）が通常の状態である場合における、第２音成分の音量の積算値の上限値と下限値とを示す。
【００４７】
次に、ＣＰＵ１０は、上記Ｓ１の処理において、直近の食事摂取時刻の入力が有ったか否かの判定を行う（Ｓ１４）。この判定の結果、直近の食事摂取時刻の入力が有った場合には（Ｓ１４でＹＥＳ）、ＣＰＵ１０の消化時間推定部２８は、操作部５により入力された直近の食事の摂取時刻と、第２音成分の音量の積算値とに基づいて、現時点から直近の食事で摂取した食物の消化完了までの所要時間（以下、「消化完了までに要する時間」と略す）を推定する（Ｓ１５）。
【００４８】
次に、上記の消化完了までに要する時間の推定方法について、図１０及び図１１を参照して説明する。図１０及び図１１において、「時間」は、直近の食事摂取時刻から現時点までの経過時間を示し、ｃは、（所定時間分の）第２音成分の音量の積算値を示す。また、図１１に示すグラフの横軸は、上記のｃ（第２音成分の音量の積算値）と、「時間」（直近の食事摂取時刻から現時点までの経過時間）とを乗じた値である。図１０は、上記のｃ（第２音成分の音量の積算値）の経時的変化についての５つの実測データと、これらの実測データの近似曲線を示す。なお、図１０において、下から一番目の実測データの近似曲線と、下から二番目の実測データの近似曲線は、重なっている。
【００４９】
上記図９の説明で述べたように、ｃが大きい程、胃蠕動（運動）が活発であるので、食事の摂取量及び摂取した食事のカロリーが同じであれば、図１１に示すｃが大きい程、上記の消化完了までに要する時間は、短くなる。また、図１１に示す「時間」（直近の食事摂取時刻から現時点までの経過時間）が長くなる程、上記の消化完了までに要する時間（現時点から直近の食事で摂取した食物の消化完了までの所要時間）は、短くなる。従って、図１１において、横軸（ｃ×「時間」）の値が大きくなればなる程、上記の消化完了までに要する時間は、短くなる。
【００５０】
上記の（ｃ×「時間」）の値が大きくなればなる程、上記の消化完了までに要する時間が短くなるという原理と、（ｃ×「時間」）と上記の消化完了までに要する時間との対応関係の実測データ（図１１にダイヤ印で示す）の分布に基づいて、ＣＰＵ１０の消化時間推定部２８は、例えば、下記の式（５）により、上記の消化完了までに要する時間を推定する。
ｙ＝Ｋ１ｘ２−Ｋ２ｘ＋Ｋ３・・・（５）
【００５１】
上記式（５）において、ｙは、上記の消化完了までに要する時間（現時点から直近の食事で摂取した食物の消化完了までの所要時間）であり、Ｋ１、Ｋ２、及びＫ３は、係数であり、ｘは、上記の（「時間」（直近の食事摂取時刻から現時点までの経過時間）×ｃ（第２音成分の音量の積算値））である。上記の係数Ｋ１、Ｋ２、及びＫ３は、図１１にダイヤ印で示すような、予め求めた実測データの分布に基づいて、統計的に算出された値であり、メモリ１１に記憶されている。なお、上記の式（５）は、２次関数の式であるが、１次関数、指数関数等の式であってもよい。また、食事の摂取量及び摂取した食事のカロリーを考慮して、現時点から直近の食事で摂取した食物の消化完了までの所要時間を推定してもよい。具体的には、上記の式（５）等の（現時点から直近の食事で摂取した食物の消化完了までの）所要時間の推定式に、食事の摂取量及び摂取した食事のカロリーに関係する変数を含む項を追加してもよい。
【００５２】
また、今回の腸蠕動音測定処理が、前回の腸蠕動音測定処理から所定時間内に行われた場合（第２音成分の音量の積算値が、所定の時間間隔を超えない２つの時点で測定されたとき）は（Ｓ１６でＹＥＳ）、ＣＰＵ１０の消化時間推定部２８は、前回（１回目）と今回（２回目）の測定結果（第２音成分の音量の積算値）を用いて、より正確な消化完了までに要する時間の推定処理を行う（Ｓ１７）。なお、前回の測定と今回の測定との時間間隔は、消化が進行中だとすると、消化の進み度合いが現れやすい時間間隔であることが好ましく、例えば、1時間以上で、３時間以内であることが好ましい。
【００５３】
上記のより正確な消化完了までに要する時間の推定処理では、ＣＰＵ１０の消化時間推定部２８は、例えば、下記の式（６）により、上記のより正確な消化完了までに要する時間を推定する。
ｙ´＝Ｋ１´ｘ´２− Ｋ２´ｘ´＋Ｋ３´・・・（６）
【００５４】
上記式（６）において、ｙ´は、上記のより正確な消化完了までに要する時間（現時点から直近の食事で摂取した食物の消化完了までの所要時間）であり、Ｋ１´、Ｋ２´、及びＫ３´は、係数であり、ｘ´は、（（１回目の測定（時刻）と２回目の測定（時刻）との時間の差）×（１回目の測定と２回目の測定における第２音成分の音量の積算値の差））である。上記の「１回目の測定時刻」と「１回目の測定における第２音成分の音量の積算値」は、１回目の測定時に、メモリ１１に記憶される。また、上記の係数Ｋ１´、Ｋ２´、及びＫ３´は、予め求めた実測データの分布に基づいて、統計的に算出された値であり、メモリ１１に記憶されている。なお、上記の式（６）は、２次関数の式であるが、１次関数、指数関数等の式であってもよい。
【００５５】
また、ｘ´は、（（１回目の測定と２回目の測定との時間の差）×（一定時間当たりの第２音成分の音量の積算値の変化量））であってもよい。上記の（一定時間当たりの第２音成分の音量の積算値の変化量）（以下、「一定時間当たりの積算値の変化量」と略す）は、下記の式（７）によって求められる。なお、下記の式（７）における「積算値」は、第２音成分の音量の積算値を意味する。
（一定時間当たりの積算値の変化量）＝（１回目の測定と２回目の測定における積算値の差）／（１回目の測定と２回目の測定との時間の差）・・・（７）
【００５６】
また、消化完了までに要する時間は、食事の摂取量とも関係があるため、上記のより正確な消化完了までに要する時間を推定する式（６）の代わりに、食事の摂取量が多くなるに連れて大きくなる、「第２音成分の音量の積算値」ｃを、変数として加味する式（例えば、下記の式（６）´）を用いてもよい。
ｙ´＝Ｋ１´ｘ´２−Ｋ２´ｘ´＋Ｋ３´＋ｃ・・・（６）´
【００５７】
次に、ＣＰＵ１０の消化良否食事量推定部２９が、上記Ｓ１５の消化完了までに要する時間の推定処理の結果と、上記Ｓ１７のより正確な消化完了までに要する時間の推定処理の結果とを利用して、摂取した食品の消化の良し悪し、腹持ち等の判定と表示を行う（Ｓ１８）。具体的には、ＣＰＵ１０の消化良否食事量推定部２９は、上記Ｓ１５又はＳ１７で推定した消化完了までに要する時間（現時点（現在時刻）から直近の食事で摂取した食物の消化完了までの所要時間）と、Ｓ１で入力された直近の食事摂取時刻と、ＣＰＵ１０内のタイマで取得した現在時刻とに基づいて、直近の食事摂取時刻から、直近の食事で摂取した食物の消化完了までの所要時間ｅを求める。そして、消化良否食事量推定部２９は、上記の所要時間ｅに基づいて、摂取した食品の消化の良し悪し、腹持ち、食事量等の判定と、判定結果の表示を行う。
【００５８】
具体的には、消化良否食事量推定部２９は、図１２に示すように、所要時間ｅが上限の閾値（時間）より長いときは、（摂取した食品の）「消化が悪い（腹持ちが良い）」、又は「食事量が多い」と判定して、表示部４に、「消化が悪い」、「腹持ちが良い」、又は「食事量が多い」と表示する。また、消化良否食事量推定部２９は、所要時間ｅが、下限の閾値以上で、上限の閾値以下の長さのときは、「平均的な消化状態（腹持ちが普通）」、又は「食事量は普通」と判定して、表示部４に、「平均的な消化状態」、「腹持ちが普通」、又は「食事量は普通」と表示する。また、消化良否食事量推定部２９は、所要時間ｅが、下限の閾値未満の長さのときは、（摂取した食品の）「消化が良い（腹持ちが悪い）」、又は「食事量が少ない」と判定して、表示部４に、「消化が良い」、「腹持ちが悪い」、又は「食事量が少ない」と表示する。
【００５９】
上記Ｓ１４の判定の結果、直近の食事摂取時刻の入力がなかった場合には（Ｓ１４でＮＯ）、ＣＰＵ１０の食事摂取判定部２４は、上記の割合ａ（第１音成分の音量の積算値と第２音成分の音量の積算値との合計値のうち、第２音成分の音量の積算値が占める割合）に基づいて、被験者の食事摂取の有無を判定して、その判定結果を、表示部４に表示する（Ｓ１９）。
【００６０】
具体的には、食事摂取判定部２４は、図１３に示すように、上記の割合ａが、閾値以上の場合には、「食事を摂取した」（食事摂取有り）と判定して、その旨を表示部４に表示する。これに対して、上記の割合ａが、閾値未満の場合には、食事摂取判定部２４は、「食事を摂取していない」（食事摂取無し）と判定して、その旨を表示部４に表示する。なお、このＳ１９の判定における（図１３に示される）閾値は、Ｓ８の判定における（図７に示される）閾値と同じでもよいし、異なっていてもよい。
【００６１】
次に、ＣＰＵ１０（主に、影響度判定部２５及び腸蠕動能力判定部２６）が、上記の第１音成分の音量の積算値と第２音成分の音量の積算値から、食事摂取の有無に左右されない（食事摂取の影響度を考慮した）被験者の腸蠕動能力値の判定を行う（Ｓ２０）。すなわち、ＣＰＵ１０の影響度判定部２５は、第２音成分の音量の積算値が、所定の閾値以上の場合には、第１音成分の音量の積算値及び第２音成分の音量の積算値が大きい程、腸蠕動音の測定への食事摂取が及ぼす影響度が大きいと判定する。その一方で、ＣＰＵ１０の影響度判定部２５は、第２音成分の音量の積算値が、この閾値未満の場合には、第２音成分の音量の積算値が閾値以上の場合と比較して、腸蠕動音の測定への食事摂取が及ぼす影響度が小さいと判定する。具体的には、ＣＰＵ１０の影響度判定部２５は、第２音成分の音量の積算値が、上記閾値未満の場合には、例えば、腸蠕動音の測定への食事摂取が及ぼす影響がない（影響度が０である）と判定する。
【００６２】
より詳細に説明すると、まず、ＣＰＵ１０の影響度判定部２５が、図１４に示す判定表に従って、腸蠕動音の測定への食事摂取が及ぼす影響度を判定する。なお、この腸蠕動音の測定への食事摂取が及ぼす影響度は、被験者の腸蠕動能力値の判定への食事摂取が及ぼす影響度でもある。
【００６３】
一般に、食後には、（食事による胃蠕動音を多く含む）第２音成分の音量の積算値だけでなく、（腸蠕動音を多く含む）第１音成分の音量の積算値も増加する。従って、図１４に示す判定表では、消化活動の強弱を加味した判定を行うために、第２音成分の音量の積算値が、閾値以上の場合には、第１音成分の音量の積算値が大きい程、腸蠕動音の測定への食事摂取が及ぼす影響度が大きいと判定すると共に、第２音成分の音量の積算値が大きい程、腸蠕動音の測定への食事摂取が及ぼす影響度を大きいと判定するように、影響度のレベル分けを行った。これは、通常は、食事を胃腸から十二指腸に排出するタイミングで、第２音成分の音量の積算値が閾値以上になることが明らかになっており、この場合（第２音成分の音量の積算値が閾値以上の場合）には、腸蠕動音の測定に影響を及ぼすことが明らかであるためである。図１５は、上記のように、食後における第２音成分の音量の積算値が閾値以上になる場合の、食事摂取前後の音量の積算値（「第１音成分の音量の積算値」と「第２音成分の音量の積算値」）の変化を示すグラフである。図１４における「第１のグラフ」は、図１５に示すグラフを指している。
【００６４】
また、図１４に示す判定表では、第２音成分の音量の積算値が閾値以上の場合には、第２音成分の音量の積算値の大きさが上記の影響度(腸蠕動音の測定への食事摂取が及ぼす影響度)に及ぼす影響を、第１音成分の音量の積算値の大きさが上記の影響度に及ぼす影響よりも大きくなるように、影響度のレベル分けを行った。この理由は、食事の影響は、主に第２音成分の音量の積算値の変化量に現れるからである。従って、上記の影響度への重み付けは、第２音成分の音量の積算値の変化への重み付けを、第１音成分の音量の積算値の変化への重み付けよりも大きくした。なお、食事が胃に取り込まれ、特に水分が多い内容物が消化されるときに、胃から高周波の音が発生する。これが第２音成分の音量の積算値の変化量に現れる。
【００６５】
上記のように、通常は、食後には、第２音成分の音量の積算値が閾値以上になるのであるが、食事の量が少ない場合、及び胃腸の運動（腸蠕動及び胃蠕動）に殆ど影響を与えないような食物を摂取した場合には、食事摂取前後の音量の積算値（「第１音成分の音量の積算値」と「第２音成分の音量の積算値」）は、図１６に示すような変化を示す。このような場合には、図１６に示すように、食後中及び食後の第２音成分の音量の積算値が、閾値未満となる。この場合（第２音成分の音量の積算値が閾値未満の場合）には、食事摂取が腸蠕動音の測定に殆ど影響を及ぼさない。従って、図１４に示す判定表では、第２音成分の音量の積算値が、閾値未満の場合（図１６に示す「第２のグラフ」の場合）には、腸蠕動音の測定への食事摂取が及ぼす影響がない（影響度が０である）と判定するように、影響度のレベル分けを行った。図１４における「第２のグラフ」は、図１６に示すグラフを指している。
【００６６】
ＣＰＵ１０の影響度判定部２５は、上記図１４の判定表に従って、第２音成分の音量の積算値が閾値以上の場合には、第１音成分の音量の積算値が大きい程、腸蠕動音の測定への食事摂取が及ぼす影響度が大きいと判定すると共に、第２音成分の音量の積算値が大きい程、腸蠕動音の測定への食事摂取が及ぼす影響度を大きいと判定する。また、影響度判定部２５は、図１４の判定表に従って、第２音成分の音量の積算値が閾値未満の場合には、腸蠕動音の測定への食事摂取が及ぼす影響がない（影響度が０である）と判定する。なお、ＣＰＵ１０の影響度判定部２５は、腸蠕動音の測定への食事摂取が及ぼす影響度の判定において、上記図１４の判定表に従って、第２音成分の音量の積算値の大きさが上記の影響度に及ぼす影響を、第１音成分の音量の積算値の大きさが上記の影響度に及ぼす影響よりも大きく判定する。
【００６７】
ここで、影響度判定部２５が、上記のように、腸蠕動音の測定への食事摂取が及ぼす影響度を判定するようにした理由（図１４の判定表を上記のように設計した理由）をまとめると、以下のとおりである。第１音成分は、主に腸蠕動音と関連があるが、その大きさには個人差があり、しかも、食事摂取の影響がない場合であっても変化するため、第１音成分の音量の積算値だけでは、食後であると判断できない。これに対して、第２音成分は、食事による胃蠕動音を多く含むため、個人差があるものの、第１音成分と比較して食後に上昇する傾向にある。このため、第２音成分の音量の積算値が閾値以上の場合には、食後であると推定できる。そして、食後には、食事による胃蠕動音が大きくなることに起因して、第２音成分の音量の積算値が大きくなるだけではなく、消化活動に伴い、第１音成分の音量の積算値も大きくなる。従って、上記のように、影響度判定部２５は、第２音成分の音量の積算値が所定の閾値以上の場合には（食後であると推定できる場合には）、第１音成分の音量の積算値が大きい程、腸蠕動音の測定への食事摂取が及ぼす影響度が大きいと判定すると共に、第２音成分の音量の積算値が大きい程、腸蠕動音の測定への食事摂取が及ぼす影響度を大きいと判定するようにした。
【００６８】
これに対して、影響度判定部２５は、第２音成分の音量の積算値が上記の閾値未満の場合には（食後でないと推定できる場合には）、腸蠕動音の測定への食事摂取が及ぼす影響がないと判定するようにした。なお、上記の「第２音成分の音量の積算値が上記の閾値未満の場合」には、図１６に示すように、食事の量が少ない場合、及び胃腸の運動（腸蠕動及び胃蠕動）に殆ど影響を与えないような食物を摂取した場合も、含まれる。
【００６９】
ＣＰＵ１０（の腸蠕動能力判定部２６）は、上記影響度判定部２５による判定の結果、腸蠕動音の測定への食事摂取が及ぼす影響度が大きい場合（第２音成分の音量の積算値が閾値以上の場合）には、上記の影響度を差し引いた（食事摂取の影響度を考慮した）被験者の腸蠕動能力値を判定する。具体的には、ＣＰＵ１０の腸蠕動能力判定部２６は、上記の影響度判定部２５により判定された影響度と、上記の（第１帯域フィルタ２１により抽出された）第１音成分の音量の積算値とに基づいて、食事摂取の影響度を考慮した被験者の腸蠕動能力値を判定（算出）する。
【００７０】
例えば、ＣＰＵ１０の腸蠕動能力判定部２６は、下記の式（８）により、上記の食事摂取の影響度を考慮した（食事摂取の有無に左右されない）被験者の腸蠕動能力値を算出する。この腸蠕動能力値は、被験者の便秘、下痢、及び過敏性腸症候群のスクリーニング判定（被験者が便秘、下痢、及び過敏性腸症候群の疑いがあるか否かの判定）に利用することができる。
ｙ＝Ｓ１Ｘ１＋Ｓ２Ｘ２＋Ｓ３・・・（８）
【００７１】
上記式（８）において、ｙは、上記の「腸蠕動能力値」であり、Ｓ１、Ｓ２、及びＳ３は、係数である。また、Ｘ１は、上記の（影響度判定部２５により判定された）食事摂取の影響度であり、Ｘ２は、上記の（第１帯域フィルタ２１により抽出された）第１音成分の音量の積算値である。上記の係数Ｓ１、Ｓ２、及びＳ３は、予め求めた実測データの分布に基づいて、統計的に算出された値であり、メモリ１１に記憶されている。なお、上記の式（８）は、１次関数の式であるが、指数関数等の式であってもよい。
【００７２】
上記の腸蠕動能力値の判定が終了すると、ＣＰＵ１０の表示制御部２７が、腸蠕動能力判定部２６で求めた腸蠕動能力値を、表示部４に表示するように制御する。これにより、表示部４が、上記の腸蠕動能力値を表示する（Ｓ２１）。なお、上記の例では、腸蠕動能力判定部２６が腸蠕動能力値を算出して、表示制御部２７が、腸蠕動能力判定部２６で求めた腸蠕動能力値を、そのまま表示部４に表示するようにしたが、腸蠕動能力判定部２６が腸蠕動能力のレベル（段階）を判定して、表示制御部２７が、腸蠕動能力判定部２６で求めた腸蠕動能力のレベルに関する情報（例えば、腸蠕動能力のレベルを表すマーク）を、表示部４に表示するようにしてもよい。
【００７３】
上記のように、本実施形態の腸蠕動音測定装置１によれば、所定時間分の第１音成分の音量の積算値と第２音成分の音量の積算値との合計値のうち、第２音成分の音量の積算値が占める割合、又は第１音成分の音量の積算値と第２音成分の音量の積算値との比較結果に基づいて、被験者の食事摂取の有無を判定するようにした。ここで、被験者の腹部で発生する腹部音のうち、主に腸蠕動音に対応する第１周波数帯域（２００Ｈｚ〜５００Ｈｚ）よりも最高周波数が高い第２周波数帯域（５００Ｈｚ〜２０００Ｈｚ）に含まれる第２音成分には、食事による胃蠕動運動に起因する胃蠕動音の音成分が多く含まれている。従って、上記の所定時間分の第１音成分の音量の積算値と第２音成分の音量の積算値との合計値のうち、第２音成分の音量の積算値が占める割合が所定のレベル以上になると、被験者が食後の状態であり（被験者の食事摂取が有りで）、第２音成分の音量の積算値が占める割合が所定のレベル未満になると、被験者が食後の状態でない（被験者の食事摂取が無い）と判定することができる。また、第１音成分の音量の積算値と第２音成分の音量の積算値との比較結果を用いても、上記と同様に、被験者が食後の状態である（被験者の食事摂取が有る）か、被験者が食後の状態でない（被験者の食事摂取が無い）かを判定することができる。そして、被験者が食後の状態であるとき（被験者の食事摂取が有りのとき）には、食事摂取が腸蠕動音の測定に及ぼす影響が大きい状態であると判定し、被験者が食後の状態ではない（被験者の食事摂取が無い）ときには、被験者が食後の状態であるときと比較して、食事摂取が腸蠕動音の測定に及ぼす影響が小さい（無視できる）状態であると判定することができる。
【００７４】
また、本実施形態の腸蠕動音測定装置１によれば、腸蠕動音の測定への食事摂取が及ぼす影響度を判定する影響度判定部２５をさらに備え、影響度判定部２５は、第２音成分の音量の積算値が所定の閾値以上の場合には、第１音成分の音量の積算値が大きい程、腸蠕動音の測定への食事摂取が及ぼす影響度が大きいと判定すると共に、第２音成分の音量の積算値が大きい程、腸蠕動音の測定への食事摂取が及ぼす影響度を大きいと判定し、第２音成分の音量の積算値が上記閾値未満の場合には、第２音成分の音量の積算値が上記閾値以上の場合と比較して、腸蠕動音の測定への食事摂取が及ぼす影響が小さいと判定するようにした。ここで、第２音成分の音量の積算値が所定の閾値以上の場合には、食後であると推定でき、食後には、食事による胃蠕動音が大きくなることに起因して、第２音成分の音量の積算値が大きくなるだけではなく、消化活動に伴い、第１音成分の積算値も大きくなる。従って、上記のように、第２音成分の音量の積算値が所定の閾値以上の場合（食後であると推定できる場合）には、第１音成分の音量の積算値が大きい程、腸蠕動音の測定への食事摂取が及ぼす影響度が大きいと判定すると共に、第２音成分の音量の積算値が大きい程、腸蠕動音の測定への食事摂取が及ぼす影響度を大きいと判定することにより、腸蠕動音の測定への食事摂取が及ぼす影響度を正確に判定することができる。
【００７５】
また、本実施形態の腸蠕動音測定装置１によれば、影響度判定部２５は、腸蠕動音の測定への食事摂取が及ぼす影響度の判定において、第２音成分の音量の積算値の大きさが上記の影響度に及ぼす影響を、第１音成分の音量の積算値の大きさが上記の影響度に及ぼす影響よりも大きくするようにした。ここで、食事の影響は、主に第２音成分の音量の積算値の変化量に現れるので、上記のように、第２音成分の音量の積算値の大きさが上記の影響度に及ぼす影響を、第１音成分の音量の積算値の大きさが上記の影響度に及ぼす影響よりも大きくするようにしたことにより、腸蠕動音の測定への食事摂取が及ぼす影響度を、より正確に判定することができる。
【００７６】
また、本実施形態の腸蠕動音測定装置１によれば、第１音成分の音量の積算値と影響度判定部２５により判定された影響度とに基づいて、腸蠕動音の測定への食事摂取が及ぼす影響度を考慮した被験者の腸蠕動能力を判定する腸蠕動能力判定部２６と、腸蠕動能力判定部２６による判定結果に基づいて、被験者の腸蠕動能力に関する情報を表示部４に表示するように制御する表示制御部２７とをさらに備えるようにした。これにより、被験者（ユーザ）が、腸蠕動音の測定への食事摂取が及ぼす影響度を考慮した被験者の腸蠕動能力を知ることができる。
【００７７】
また、本実施形態の腸蠕動音測定装置１によれば、腸蠕動音測定装置１に与えられる加速度を検出する加速度センサ１４と、加速度センサ１４により検出された加速度の大きさが所定の閾値以上である場合に、第１周波数帯域と第２周波数帯域の少なくとも一方から、腸蠕動音測定装置１と被験者の服とがこすれること（服すれ）に起因する雑音が発生し易い周波数帯域を除去して、第１周波数帯域と第２周波数帯域の少なくとも一方の帯域幅を狭くすると共に、第１周波数帯域と第２周波数帯域の少なくとも一方の帯域幅を狭くしたことが第１音成分と第２音成分の少なくとも一方の音量の積算値に与える影響を軽減するために、第１音成分と第２音成分の少なくとも一方の音量の積算値が大きくなるように補正する帯域調整部２３とをさらに備えるようにした。ここで、加速度センサ１４により検出された加速度の大きさが所定の閾値以上である場合には（加速度センサ１４を所持した被験者の体動が、所定のレベル以上のときには）、上記の服すれに起因する雑音を無視することができないので、上記のように、第１周波数帯域と第２周波数帯域の少なくとも一方から、服すれに起因する雑音が発生し易い周波数帯域を除去して、第１周波数帯域と第２周波数帯域の少なくとも一方の帯域幅を狭くすると共に、第１周波数帯域と第２周波数帯域の少なくとも一方の帯域幅を狭くしたことが第１音成分と第２音成分の少なくとも一方の音量の積算値に与える影響（第１音成分と第２音成分の少なくとも一方の音量の積算値を小さくするという影響）を軽減するために、第１音成分と第２音成分の少なくとも一方の音量の積算値が大きくなるように補正することにより、服すれに起因する雑音がなかった場合の第１音成分と第２音成分の少なくとも一方の音量の積算値に近づけることができる。
【００７８】
また、本実施形態の腸蠕動音測定装置１によれば、操作部５により取得した直近の食事の摂取時刻と、第２音成分の音量の積算値とに基づいて、現時点から直近の食事で摂取した食物の消化完了までの所要時間を推定する消化時間推定部２８とをさらに備え、第２音成分の音量の積算値が、所定の時間間隔を超えない２つの時点で測定されたときは、消化時間推定部２８は、１回目の測定における第２音成分の音量の積算値と２回目の測定における第２音成分の音量の積算値との差分と、１回目の測定と２回目の測定の時間差とに基づいて、現時点から直近の食事で摂取した食物の消化完了までの所要時間を推定するようにした。上記のように、１回目の測定における第２音成分の音量の積算値と２回目の測定における第２音成分の音量の積算値との差分と、１回目の測定と２回目の測定の時間差とに基づいて、現時点から直近の食事で摂取した食物の消化完了までの所要時間を推定するようにしたことにより、上記の消化完了までの所要時間を、被験者の消化能力を考慮して推定することができるので、図５のＳ１５に示すように、１回の測定における第２音成分の音量の積算値と、直近の食事摂取時刻のみに基づいて、上記の消化完了までの所要時間を推定した場合と比較して、正確な所用時間を推定することができる。
【００７９】
変形例：
なお、本発明は、上記の各実施形態の構成に限られず、発明の趣旨を変更しない範囲で種々の変形が可能である。次に、本発明の変形例について説明する。
【００８０】
変形例１：
上記の実施形態では、図４のＳ８に示すように、第１音成分の音量の積算値と第２音成分の音量の積算値との合計値のうち、第２音成分の音量の積算値が占める割合ａが閾値以上であるか否かに基づいて、食事による胃蠕動が活発であるか否かを判定した。けれども、食事による胃蠕動が活発であるか否かの判定方法は、これに限られず、例えば、第２音成分の音量の積算値と第１音成分の音量の積算値との差が、閾値以上であるか否かに基づいて、食事による胃蠕動が活発であるか否かを判定してもよい。請求項における「前記第１音成分の音量の積算値と前記第２音成分の音量の積算値との比較結果」には、上記の「第２音成分の音量の積算値と第１音成分の音量の積算値との差」が、含まれる。
【００８１】
変形例２：
また、上記の実施形態では、第１音成分の音量の積算値と第２音成分の音量の積算値とを用いて、食事による胃蠕動が活発であるか否かの判定、被験者の腸蠕動能力値の判定等の各種の判定を行った。けれども、第１音成分の音量の積算値、及び第２音成分の音量の積算値の代わりに、第１音成分の強度、及び第２音成分の強度を用いて、食事による胃蠕動が活発であるか否か等の判定を行ってもよい。ここで、「第１音成分の強度」とは、第１帯域フィルタ２１による抽出処理後における所定時間分のサンプリングデータの出力レベルの平均値を意味し、「第２音成分の」強度とは、第２帯域フィルタ２２による抽出処理後における所定時間分のサンプリングデータの出力レベルの平均値を意味する。また、第１音成分の音量の積算値、及び第２音成分の音量の積算値の代わりに、（第１帯域フィルタ２１による抽出処理後の）第１音成分の音と音との間隔、及び（第２帯域フィルタ２２による抽出処理後の）第２音成分の音と音との間隔を用いて、食事による胃蠕動が活発であるか否か等の判定を行ってもよい。
【００８２】
変形例３： 
また、上記の実施形態では、図５に示すように、今回の腸蠕動音測定処理が、前回の腸蠕動音測定処理から所定時間内に行われた場合に（Ｓ１６でＹＥＳ）、「より正確な消化完了までに要する時間の推定処理」（Ｓ１７）を行うようにした。けれども、被験者（ユーザ）が、操作部５を用いて、腸蠕動音測定装置１を、より正確な消化完了までに要する時間を測定するモードに設定した場合に限り、１回目の測定から所定時間内に、自動的に２回目の測定を行って、上記の「より正確な消化完了までに要する時間の推定処理」を行い、より正確な消化完了までに要する時間を測定するモードに設定していない場合には、上記の「より正確な消化完了までに要する時間の推定処理」を行わないようにしてもよい。
【００８３】
変形例４： 
また、上記の実施形態では、本発明の腸蠕動音測定装置１が専用の装置である場合の例を示したが、本発明の腸蠕動音測定装置１が有する機能を、いわゆる活動量計に組み込んでもよい。
【００８４】
変形例５： 
また、上記の実施形態では、図２において、本発明の腸蠕動音測定装置１が、ＮＦＣ通信可能な装置である場合の例を示したが、本発明の腸蠕動音測定装置は、これに限られず、例えば、ＵＳＢ（Ｕｎｉｖｅｒｓａｌ  Ｓｅｒｉａｌ  Ｂｕｓ）等の有線通信を行う機能を有する装置であってもよいし、ｗｉ−ｆｉ、Ｂｌｕｅｔｏｏｔｈ等の無線通信を行う機能を有する装置であってもよい。
【００８５】
変形例６： 
また、上記の実施形態では、ＣＰＵ１０の表示制御部２７が、腸蠕動能力判定部２６で求めた腸蠕動能力値を、腸蠕動音測定装置１自体が有する表示部４に表示するように制御したが、ＣＰＵの表示制御部が、腸蠕動能力判定部で求めた腸蠕動能力値を、無線通信又は有線通信により、他の情報機器（例えば、ＰＣ（Personal Computer）、及びスマートフォン等のモバイル端末）に送信して表示させるようにしてもよい。
【００８６】
変形例７：
上記の実施形態では、腸蠕動音測定装置１のＣＰＵ１０が、第１帯域フィルタ２１と、第２帯域フィルタ２２と、帯域調整部２３と、食事摂取判定部２４と、影響度判定部２５と、腸蠕動能力判定部２６と、表示制御部２７と、消化時間推定部２８と、消化良否食事量推定部２９とを備えている。しかしながら、、腸蠕動音測定装置１とは別体の、少なくとも、ＣＰＵ等の処理部と、フラッシュＲＯＭ、ＲＡＭ等の記憶部と、を備えるコンピュータの処理部が、第１帯域フィルタ２１、第２帯域フィルタ２２、帯域調整部２３、食事摂取判定部２４、影響度判定部２５、腸蠕動能力判定部２６、表示制御部２７、消化時間推定部２８、及び消化良否食事量推定部２９の少なくとも１つとして機能してもよい。この場合、当該コンピュータの記憶部又は当該コンピュータに接続される記憶装置である記憶媒体が、当該コンピュータの処理部を、上記２１〜２９の各部として機能させるようなプログラム（腸蠕動音測定プログラム）を、格納している。すなわち、当該コンピュータは、当該プログラムを実行することによって、有線又は無線を介して接続される、（マイクロフォン７と加速度センサ１４とを有する）測定装置から、被験者の腹部で発生する腹部音と、腸蠕動音測定装置に与えられる加速度を取得して、上記各実施形態で説明したような腸蠕動能力の判定に係る工程を実行する。なお、このようなコンピュータの例としては、ＰＣ（Personal Computer）、及びスマートフォン等のモバイル端末等がある。
【００８７】
変形例８：
上記の実施形態では、加速度センサ１４の出力値が所定の閾値以上である場合には、第１周波数帯域と第２周波数帯域の両方の帯域幅を狭くしたが、これに限定されない。例えば、上記の服すれに起因する雑音が発生し易い周波数帯域が、第１周波数帯域と第２周波数帯域の一方の周波数帯域に含まれる場合には、第１周波数帯域と第２周波数帯域のうち、上記雑音が発生し易い周波数帯域が含まれる方の周波数帯域の帯域幅を狭くすればよい。この場合には、帯域幅を狭くしたことが第１音成分又は第２音成分の音量の積算値に与える影響を軽減するために、第１音成分又は第２音成分の音量の積算値が大きくなるように補正する。
【００８８】
変形例９：
上記の実施形態では、図４中のＳ９及びＳ１１と、図５中のＳ１２、Ｓ１３、Ｓ１８、及びＳ１９の各ステップにおいて、各判定結果を表示したが、これらのステップでは判定結果を表示せずに、判定処理のみを行い、図５中のＳ２１において、上記の各ステップにおける判定結果を、まとめて表示してもよい。
【符号の説明】
【００８９】
１    腸蠕動音測定装置
４    表示部
５    操作部（食事摂取時刻取得部）
７    マイクロフォン（腹部音取得部）
１４  加速度センサ（加速度検出部）
１６  腸蠕動音測定プログラム
２１  第１帯域フィルタ
２２  第２帯域フィルタ
２３  帯域調整部
２４  食事摂取判定部
２５  影響度判定部
２６  腸蠕動能力判定部
２７  表示制御部
２８  消化時間推定部
【図１】
2019115375.tif 000003
【図２】
2019115375.tif 000004
【図３】
2019115375.tif 000005
【図４】
2019115375.tif 000006
【図５】
2019115375.tif 000007
【図６】
2019115375.tif 000008
【図７】
2019115375.tif 000009
【図８】
2019115375.tif 000010
【図９】
2019115375.tif 000011
【図１０】
2019115375.tif 000012
【図１１】
2019115375.tif 000013
【図１２】
2019115375.tif 000014
【図１３】
2019115375.tif 000015
【図１４】
2019115375.tif 000016
【図１５】
2019115375.tif 000017
【図１６】
2019115375.tif 000018